(57)【要約】【課題】換気ユニットによる壁の汚れを防止することのできる循環ユニットと換気システムと循環ユニットの取付構造とを提供する。【解決手段】室内の空気を吸い込むための吸込開口２２を有する本体ケース２１と、熱を発生する熱発生手段と、吸込開口２２から室内の空気を吸い込むとともにこの吸い込んだ空気を前記熱発生手段を介して前記室内へ排出するシロッコファンとを備えている循環ユニット２０であって、本体ケース２１の前壁２１Ａと後壁２１Ｂと間を貫通した状態のダクト２９を設けた。【選択図】　図１
2004053197.tif 000002
【特許請求の範囲】
【請求項１】
室内の空気を吸い込むための吸込開口を有する本体ケースと、熱を発生する熱発生手段と、前記吸込開口から室内の空気を吸い込むとともにこの吸い込んだ空気を前記熱発生手段を介して前記室内へ排出する送風手段とを備えている循環ユニットであって、
前記本体ケースの後壁に開口を形成するとともに他の壁に開口を形成し、後壁の開口と他の壁の開口とを連通する風路を本体ケース内に形成したことを特徴とする循環ユニット。
【請求項２】
室内の壁に取り付けられるとともにその壁に設けた吸込口から室内の空気を吸い込んで室外へ排気する換気ユニットを備えた換気システムであって、
前記吸込口の前に請求項１の循環ユニットを設置し、
前記換気ユニットは、前記本体ケースの風路を介して室内の空気を吸い込んで換気を行うことを特徴とする換気システム。
【請求項３】
前記換気ユニットと循環ユニットとの間から前記吸込口へ空気が入り込まないようにシール部材を配置したことを特徴とする請求項２に記載の換気システム。
【請求項４】
前記本体ケースの後壁と前記室内の壁との間にシール部材を介在させて、その間から前記吸込口へ空気が入り込まないようにしたことを特徴とする請求項２に記載の換気システム。
【請求項５】
請求項１の循環ユニットの本体ケースを換気ユニットの吸込口から所定距離離間させて前記換気ユニットを取り付ける換気ユニットの取付構造であって、
前記換気ユニットを設けた壁に、前記吸込口を囲む環状ステーを取り付け、
この環状ステーに循環ユニットの本体ケースを取り付け、
前記環状ステーで密閉風路を形成するとともに、この密閉風路を介して前記吸込口と循環ユニットの連通風路とを連通させたことを特徴とする換気ユニットの取付構造。
【請求項６】
前記連通風路に流れる空気を浄化するフィルタを設けたことを特徴とする請求項１に記載の循環ユニットまたは請求項２に記載の換気システムまたは請求項５に記載の換気ユニットの取付構造。
【発明の詳細な説明】
【０００１】
【発明の属する技術分野】
この発明は、循環ユニットと換気システムと循環ユニットの取付構造とに関する。
【０００２】
【従来の技術】
従来から、図１８に示すように、換気ユニット１の前に循環ユニット（暖房ユニット）２を取り付けた換気システム３が知られている（特開２００１−１０８３６号公報参照）。
【０００３】
かかる換気システム３は、浴室から吸い込んだ空気を図示しないヒータで暖めて浴室へ送風することにより浴室の暖房を行う。また、浴室の換気を行う場合には、換気ユニット１のモータ４を駆動させてファン５を回転させる。このファン５の回転により、浴室の空気が吸込口６から吸い込まれて外へ排気される。
【０００４】
この換気システム３によれば、換気ユニット１の前に循環ユニット２を取り付ければよいので、既存の換気ユニット１にも適用することができる。
【０００５】
【発明が解決しようとする課題】
しかしながら、このような換気システム３にあっては、換気ユニット１により浴室の換気を行った場合、浴室の空気が矢印で示すように流れて換気が行われるため、壁７の前面７Ａが汚れて見栄えが悪くなってしまう問題があった。さらに、循環ユニット２があることにより、吸込口６の周辺の汚れを落とすことができず、その周辺の汚れを落とす場合には、循環ユニット２を外さなければならない等の多くの問題があった。
【０００６】
この発明の目的は、換気ユニットによる壁の汚れを防止することのできる循環ユニットと換気システムと循環ユニットの取付構造とを提供することにある。
【０００７】
【課題を解決するための手段】
上記目的を達成するため、請求項１の発明は、室内の空気を吸い込むための吸込開口を有する本体ケースと、熱を発生する熱発生手段と、前記吸込開口から室内の空気を吸い込むとともにこの吸い込んだ空気を前記熱発生手段を介して前記室内へ排出する送風手段とを備えている循環ユニットであって、
前記本体ケースの後壁に開口を形成するとともに他の壁に開口を形成し、後壁の開口と他の壁の開口とを連通した風路を本体ケース内に形成したことを特徴とする。
【０００８】
請求項２の発明は、室内の壁に取り付けられるとともにその壁に設けた吸込口から室内の空気を吸い込んで室外へ排気する換気ユニットを備えた換気システムであって、
前記吸込口の前に請求項１の循環ユニットを設置し、
前記換気ユニットは、前記本体ケースの風路を介して室内の空気を吸い込んで換気を行うことを特徴とする。
【０００９】
請求項３の発明は、前記換気ユニットと循環ユニットとの間から前記吸込口へ空気が入り込まないようにシール部材を配置したことを特徴とする。
【００１０】
請求項４の発明は、前記本体ケースの後壁と前記室内の壁との間にシール部材を介在させて、その間から前記吸込口へ空気が入り込まないようにしたことを特徴とする。
【００１１】
請求項５の発明は、請求項１の循環ユニットの本体ケースを換気ユニットの吸込口から所定距離離間させて前記換気ユニットを取り付ける換気ユニットの取付構造であって、
前記換気ユニットを設けた壁に、前記吸込口を囲む環状ステーを取り付け、
この環状ステーに循環ユニットの本体ケースを取り付け、
前記環状ステーで密閉風路を形成するとともに、この密閉風路を介して前記吸込口と循環ユニットの連通風路とを連通させたことを特徴とする。
【００１２】
請求項６の発明は、前記連通風路に流れる空気を浄化するフィルタを設けたことを特徴とする。
【００１３】
【発明の実施の形態】
以下、この発明に係わる循環ユニットを用いた換気システムとその循環ユニットの取付構造の実施の形態を図面に基づいて説明する。
［第１実施形態］
図１に示す換気システム１０は、換気ユニット１１とこの換気ユニット１１の前に環状ステー４０を介して取り付けられた循環ユニット２０とを備えている。
【００１４】
換気ユニット１１は、浴室の壁１２に設けた吸気口１３内に設けたファン１４とモータ１５とを備えている。
【００１５】
循環ユニット２０は本体ケース２１を有し、図２に示すように、本体ケース２１の前壁２１Ａには、長方形状の吸い込み用の吸込開口２２が形成され、吸込開口２２の下には輻射用の輻射開口２３がほぼ全幅に亘って形成されている。また、輻射開口２３は本体ケース２１の底壁部２１Ｃ（図３参照）に亘って形成されている。吸込開口２２には吸込グリルＧ１が取り付けられており、この吸込グリルＧ１の後方に押えグリルＧ２が取り付けられている。この押えグリルＧ２と吸込グリルＧ１との間にはフィルタＦが挟み込まれている。また、輻射開口２３には輻射グリルＧ３が取り付けられている。
【００１６】
本体ケース２１の後壁２１Ｂには、図１および図３に示すように換気ユニット１１の吸気口１３に対向した開口２５が形成されている。また、図４および図５に示すように、後壁２１Ｂの上部には環状ステー４０に取り付けるための一対の取付孔２１ｄが形成され、その後壁２１Ｂの下部には図６に示すように一対の切起しリブ２１ｅが形成されている。この切起しリブ２１ｅは環状ステー４０のフランジ部４１Ａの下面に当接するようになっている。そして、後壁２１Ｂには図４に示すように帯状のパッキン５０が環状に取り付けられており、このパッキン５０は、上パッキン部５１と、下パッキン部５２と、右パッキン部５３と、左パッキン部５４とを有している。
【００１７】
このパッキン５０の上パッキン部５１には、後壁２１Ｂの取付孔２１ｄに対向した部分５１Ａに凹部５５が形成され、図５に示すように、取付孔２１ｄの上縁部２１ｅと凹部５５の上縁部５５ａとが面一となっている。
【００１８】
また、下パッキン部５２は、図６に示すように後壁２１Ｂの切起しリブ２１ｅの上面に当接している。
【００１９】
本体ケース２１内には、図７に示すようにシロッコファン２６と、熱線を輻射するカーボンランプ（熱発生手段）２７と、連通風路２８を形成したダクト２９と、シロッコファン２６やカーボンランプ２７を制御する制御回路（図示せず）を設けた回路基板３０等とが設けられている。なお、カーボンランプ２７の替わりにシーズヒータやハロゲンランプを用いてもよい。
【００２０】
カーボンランプ２７の上には反射板３１が設けられており、この反射板３１は、図８に示すようにカーボンランプ２７から輻射される熱線を洗い場（図示せず）に向けて反射するようになっている。
【００２１】
シロッコファン２６は、風路ケース３２内に回転自在に設けられており、図示しないモータによって回転する。風路ケース３２は、シロッコファン２６によって送風される空気を反射板３１へ案内する案内風路部３２Ａと、その空気を反射板３１に向けて吹き付ける吹出口部３２Ｂと、浴室内の空気を吸い込む吸込口３２Ｃとを有している。この吸込口３２Ｃは本体ケース２１の吸込開口２２に臨んでいる。また、吹出口部３２Ｂには図７に示すようにＰＴＣヒータ３４が設けられており、吹出口部３２Ｂから温風の吹き出しが可能となっている。
【００２２】
ダクト２９は、本体ケース２１の前壁２１Ａと後壁２１Ｂとの間を貫通する状態で設けられており、ダクト２９の後部は後壁２１Ｂの開口２５に嵌入され、ダクト２９の後端開口２９Ｂが換気ユニット１１の吸気口１３に対向している。また、ダクト２９の先端開口端２９Ａは押えグリルＧ２に当接して吸込開口２２に臨んでおり、ダクト２９を介して浴室内と換気ユニット１１の吸気口１３とが連通している。
【００２３】
環状ステー４０は、図９に示すように、長方形の枠状に形成されており、左右方向に延びた下枠部４１と、下枠部４１の両端から上方に延びた側枠部４２，４２と、側枠部４２，４２の上部を連結した上枠部４３とを有し、各枠部４１〜４３は図１０に示すように断面形状がＬ字形となるように前方へ突出したフランジ部４１Ａ〜４３Ａを有している。フランジ部４３Ａの先端部には上方へ突出した一対の爪４５が形成されている。この爪４５は本体ケース２１の後壁２１Ｂの取付孔２１ｄに差し込むようになっている。
［循環ユニットの取り付け方］
次に、循環ユニット２０の取り付け方について説明する。
【００２４】
先ず、環状ステー４０を図１１および図１２に示すように、環状のパッキン６０を介して浴室の壁１２にネジ止めする。このパッキン６０により環状ステー４０の下枠部４１，側枠部４２，４２，上枠部４３と壁１２との間はシールされる。
【００２５】
次に、環状ステー４０に循環ユニット２０を取り付ける。この取り付けは、先ず、本体ケース２１の後壁２１Ｂの取付孔２１ｄに環状ステー４０の爪４５を図１３に示すように差し入れて、本体ケース２１をその爪４５に引っかけて吊るす状態にする。そして、本体ケース２１の下部の切起しリブ２１ｅを図１４に示すように、環状ステー４０のフランジ部４１Ａの下面に当接させて、そのフランジ部４１Ａと切起しリブ２１ｅとをネジ止め固定する。
【００２６】
このネジ止め固定により、図１４および図１５に示すようにフランジ部４１Ａ〜４３Ａの先端が環状のパッキン５１に圧接する。また、環状ステー４０の爪４５の部分では、パッキン５０の凹部５５が爪４５の基部４５ａを跨ってその基部４５ａを圧接し（図１３参照）、爪４５の部分のシール性は確保され、環状ステー４０と本体ケース２１の後壁２１Ｂとの間がシールされる。
【００２７】
すなわち、環状ステー４０とパッキン５０，６０とにより、本体ケース２１の後壁２１Ｂと壁１２との間に密閉された密閉風路６１が形成され、この密閉風路６１を介して本体ケース２１のダクト２９と換気ユニット１１の吸気口１３とが連通される。
［動　作］
次に、換気システム１０の動作について説明する。
【００２８】
図示しない操作部の操作により換気モードが設定されると、換気ユニット１１のモータ１５によりファン１４が回転していく。このファン１４の回転により、浴室内の空気が図１および図３の矢印Ｑ１で示すように循環ユニット２０の本体ケース２１の吸込開口２２からフィルタＦを介してダクト２９へ吸い込まれていく。さらに、ダクト２９へ吸い込まれた空気は密閉風路６１を介して換気ユニット１１の吸気口１３へ吸い込まれて外へ排気され、浴室の換気が行われる。
【００２９】
このように、浴室の空気は循環ユニット２０の吸込開口２２から吸い込まれていくので、従来のように壁１２に沿って空気が流れていかず、このため、壁１２の前面１２Ａが汚れてしまうことがない。また、ダクト２９は前後方向に直線状となっているので、換気の際の風路抵抗が小さくなる。ちなみに、従来のものは循環ユニット２０と壁１２との間の隙間に沿って空気が流れていくため、その風路抵抗は大きくなってしまう。
【００３０】
さらに、浴室の空気はフィルタＦを介してダクト２９へ吸い込まれていくので、換気ユニット１１のファン１４が汚れてしまうことを防止することができ、このため、循環ユニット２０を取り外して換気ユニット１１を清掃する手間を省くことができる。
【００３１】
図示しない操作部の操作により予備暖房モードが設定されると、換気ユニット１１の動作は停止され、ＰＴＣヒータが通電されるとともに循環ユニット２０のシロッコファン２６が回転していく。このシロッコファン２６の回転により、浴室内の空気が循環ユニット２０の本体ケース２１の吸込開口２２から吸い込まれていき、この吸い込まれた空気は風路ケース３２の吹出口部３２ＢからＰＴＣヒータ３４により温風となって浴室へ吹き出していく。
【００３２】
また、入力暖房モードが設定されると、換気ユニット１１の動作は停止されたまま、循環ユニット２０のシロッコファン２６が回転していくとともにカーボンランプ２７が通電される。この通電によりカーボンランプ２７は熱線を輻射し、この熱線は反射板３１により反射されて洗い場へ輻射していく。この輻射により、浴室内の温度が十分に上がっていなくても入浴者の体を暖めて寒さを感じさせないことになる。
【００３３】
他方、シロッコファン２６の回転により、浴室内の空気が図１および図８の矢印Ｑ２で示すように循環ユニット２０の本体ケース２１の吸込開口２２からフィルタＦを介して風路ケース３２の吸込口３２Ｃへ吸い込まれていき、この吸い込まれた空気は風路ケース３２の吹出口部３２Ｂから反射板３１に向けて吹き出していき、反射板３１を冷却していく。この際、シロッコファン２６の回転は弱回転であり、輻射開口２３から吹き出される風は微風であり、入浴者に対しては輻射熱による暖かさのみが感じられ、吹出し風が入浴者に当たって肌寒さを感じるということはない。
【００３４】
さらに、シロッコファン２６の運転を強運転にして、反射板３１を冷却した空気が暖められて温風となって本体ケース２１の輻射開口２３から浴室へ吹き出されていき、浴室の暖房が行われる。このように、浴室を暖房運転していくようにして予備暖房として利用してもよい。
【００３５】
乾燥モードが設定されると、換気ユニット１１と循環ユニット２０とが動作する。すなわち、浴室の換気により湿気が外へ排出されるとともに、循環ユニット２０内のシロッコファン２６の回転とＰＴＣヒータ３４の通電により温風が浴室内に循環されて浴室の暖房が行われていく。この暖房と湿気の排気とにより浴室が乾燥されていく。この乾燥により、浴室で衣類などを乾燥させることができることになる。
【００３６】
上記実施形態では、環状ステー４０とパッキン５０，６０とで本体ケース２１の後壁２１Ｂと壁１２との間に密閉風路６１を形成したが、環状ステー４０を使用しなくても、本体ケース２１を取り付けるステーの外周囲をパッキンでシールして密閉風路を形成してもよく、本体ケース２１の後壁２１Ｂと壁１２との間の密閉風路を介して本体ケース２１のダクト２９と換気ユニット１１の吸気口１３とが連通されれば、密閉風路の構造はどのようなものであってもよい。
【００３７】
図１６は循環ユニット２０の取付構造の他の例を示したものである。図１６において、７０は壁１２にネジ止めされたＬ字状のステーであり、このステー７０は本体ケース２１の後壁２１の一対の取付孔２１ｄに対応して壁１２に一対取り付けられている。このステー７０の係止片７０Ａの先端には上方に突出した爪７１が形成されている。また、壁１２の下側（図１６において）にはステー７０に対応してＬ字状の一対のステー７２がネジ止めされている。
【００３８】
本体ケース２１の後壁２１Ｂの下部には、ステー７２に対応して一対のリブ２１Ｒが形成されており、このリブ２１Ｒはステー７２の当接片７２Ａの上面に当接するようになっている。
【００３９】
この循環ユニット２０の取り付けは、先ず、本体ケース２１の後壁２１の取付孔２１ｄにステー７０の爪７１を挿入して、本体ケース２１をステー７０の係止片７０Ａに引っかける。そして、本体ケース２１の後壁２１のリブ２１Ｒをステー７２の当接片７２Ａの上面に当接させて、そのリブ２１Ｒとステー７２の当接片７２Ａとをネジで固定する。
【００４０】
次に、ステー７０の係止片７０Ａとステー７２の当接片７２Ａの外側をパッキン７３で環状に覆い、環状にしたパッキン７３により本体ケース２１の後壁２１Ｂと壁１２との間をシールして密閉風路７４を形成したものである。
【００４１】
なお、パッキン７３はステー７０，７２または循環ユニット２０の後壁２１Ｂに予め取り付けておいてもよく、密閉風路７４が形成されればパッキン７３の取付順序はネジ止めの前であってもよい。ネジ止めの前にパッキン７３を取り付けておく場合、パッキン７３にネジ止用孔を予め設けておき、そのネジ止用孔を利用して外側からリブ２１Ｒとステー７２の当接片７２Ａとをネジで固定する。そのネジ止用孔のシールは例えばゴムパッキンなどを利用すればよい。
【００４２】
ところで、換気ユニット１１の吸気口１３と本体ケース２１のダクト２９の後端開口２９Ｂとが対向しているが、その吸気口１３とダクト２９とが密閉風路６１，７４を介して連通されていれば対向していなくともよい。また、パッキン５０，６０，７３等を用いずに、図１６の破線で示すようにダクト２９と換気ユニット１１の吸気口１３とをシール部材７５でシールしてもよい。
【００４３】
また、ダクト２９をＬ字形にして、ダクト２０の先端開口端２９Ａを本体ケース２１の底面や上面あるいは側面に向けるとともに、それら底面や上面あるいは側面に吸気開口を設けて、その吸気開口から浴室の空気を吸い込むようにしても良い。さらに、図１７に示すようにダクト２９を設けなくても、循環ユニット２０の吸込開口２２から吸い込まれた空気が後壁２１Ｂの開口２５へ流れていくようになっていればよい。この場合、吸込開口２２Ａに設けたフィルタＦにより循環ユニット２０の本体ケース２１内を汚してしまうことを防止することができる。
【００４４】
さらに、この実施形態によれば、換気ユニット１１の前に循環ユニット２０を取り付ければよいので、既存の換気ユニット１１を利用して換気システムを構築することができる。
【００４５】
また、上記実施形態では、浴室に適用した換気システムについて説明したが、これに限らず、他の部屋にも適用できる。
【００４６】
【発明の効果】
以上説明したように、この発明によれば、換気の際に流れる空気によって壁が汚れてしまうことを防止することができる。
【図面の簡単な説明】
【図１】この発明に係る換気システムの構成を示した平断面図である。
【図２】循環ユニットを示した正面図である。
【図３】図１に示す換気システムの構成を示した横断面図である。
【図４】循環ユニットの本体ケースの背面図である。
【図５】本体ケースの後壁の上部の部分拡大図である。
【図６】本体ケースの後壁の下部の部分拡大図である。
【図７】循環ユニットの構成を示した断面図である。
【図８】循環ユニットの構成を示した横断面図である。
【図９】環状ステーを示した正面図である。
【図１０】環状ステーの一部を拡大して部分拡大図である。
【図１１】環状ステーを壁に固定した状態を示した正面図である。
【図１２】環状ステーを壁に固定した状態を示した断面図である。
【図１３】循環ユニットの本体ケースを環状ステーの爪に引っかけた状態を示した説明図である。
【図１４】循環ユニットの本体ケースの切起しリブを環状ステーのフランジに固定した状態を示した断面図である。
【図１５】環状ステーのフランジの先端がパッキンに圧接した状態を示した説明図である。
【図１６】循環ユニットの他の取付構造を示した説明図である。
【図１７】他の例の循環ユニットの構成を示した平断面図である。
【図１８】従来の換気システムの構成を示した説明図である。
【符号の説明】
１０　　　　　　　　換気システム
１１　　　　　　　　換気ユニット
２０　　　　　　　　循環ユニット
２１　　　　　　　　本体ケース
２１Ａ　　　　　　前壁
２１Ｂ　　　　　　後壁
２７　　　　　　　　ハロゲンランプ
２８　　　　　　　　連通風路
２９　　　　　　　　ダクト
【図１】
2004053197.tif 000003
【図２】
2004053197.tif 000004
【図３】
2004053197.tif 000005
【図４】
2004053197.tif 000006
【図５】
2004053197.tif 000007
【図６】
2004053197.tif 000008
【図７】
2004053197.tif 000009
【図８】
2004053197.tif 000010
【図９】
2004053197.tif 000011
【図１０】
2004053197.tif 000012
【図１１】
2004053197.tif 000013
【図１２】
2004053197.tif 000014
【図１３】
2004053197.tif 000015
【図１４】
2004053197.tif 000016
【図１５】
2004053197.tif 000017
【図１６】
2004053197.tif 000018
【図１７】
2004053197.tif 000019
【図１８】
2004053197.tif 000020